(57)【要約】【課題】画像形成装置において、全体制御部の起動時間の影響を軽減して、電源投入から画像形成可能状態にするまでの時間を短縮することである。【解決手段】画像形成装置としての複写機１００において、主電源スイッチ１２がオンされた場合に、第２の電源制御部１６Ａを起動開始し、起動完了した第２の電源制御部１６Ａが全体制御部１７Ａ及びエンジン制御部１８を起動し、起動したエンジン制御部１８がＡＣ駆動部１４を介して定着器の定着加熱部２１への通電を制御し、また、ＤＣ電源部１３の第３のＤＣ電源出力により、モータ２２の予備回転補正等の全体制御部１７Ａの起動完了を要しない予備動作を行う。【選択図】図１
2005202355.tif 000002
【特許請求の範囲】
【請求項１】
記録媒体に画像を形成する画像形成装置において、
ＡＣ電源をオフからオンへ切り替える主電源スイッチと、
前記ＡＣ電源から供給されるＡＣ電源電力をＤＣ変換して出力するＤＣ電源部と、
画像形成装置の全体的な動作を制御する全体制御部と、
画像形成装置の制御のうちの所定の制御を行うエンジン制御部と、
前記全体制御部に含まれる又は管理される第１の電源制御部と、
前記第１の電源制御よりも起動時間の短い第２の電源制御部と、を備え、
前記ＤＣ電源部は、前記主電源スイッチがオンされた場合に、第１のＤＣ電源出力を前記第１の電源制御部及び前記第２の電源制御部に入力して前記第１の電源制御部及び前記第２の電源制御部の起動を開始させ、
前記第２の電源制御部は、前記第１の電源制御部の起動完了前に、電源制御信号を生成して前記ＤＣ電源部に入力し、
前記ＤＣ電源部は、前記第２の電源制御部から入力された電源制御信号に基づいて、第２のＤＣ電源出力を生成して前記全体制御部及び前記エンジン制御部に入力して起動させ、
前記全体制御部は、前記第１の電源制御部の起動完了後に、前記ＤＣ電源部から入力される第２のＤＣ電源出力により起動し、
前記第１の電源制御部は、前記全体制御部の起動完了後に、前記ＤＣ電源部から出力されるＤＣ電源出力を制御することを特徴とする画像形成装置。
【請求項２】
前記ＤＣ電源部は、前記主電源スイッチがオンされた場合に、前記第１の電源制御部及び前記第２の電源制御部の起動を並行して開始させることを特徴とする請求項１に記載の画像形成装置。
【請求項３】
記録媒体にトナーを定着する定着器と、
前記エンジン制御部よりも起動時間が短く、前記定着器の加熱を制御する定着加熱副制御部と、を備え、
前記ＤＣ電源部は、前記第２の電源制御部から入力された電源制御信号に基づいて、第２のＤＣ電源出力を生成して前記全体制御部、前記エンジン制御部及び前記定着加熱副制御部に入力して起動させ、
前記定着加熱副制御部は、前記エンジン制御部の起動完了前に、前記ＡＣ電源から供給されるＡＣ電源電力により前記定着器を予備加熱させることを特徴とする請求項１又は２に記載の画像形成装置。
【請求項４】
前記定着加熱副制御部は、前記エンジン制御部の起動完了前に前記定着器が所定温度に達した場合には、前記所定温度を維持するように前記エンジン制御部の起動完了まで温度制御を行い、
前記エンジン制御部の起動完了時に前記所定温度に達していない場合は、前記エンジン制御部が、その起動完了後に、前記定着器を加熱させることを特徴とする請求項３に記載の画像形成装置。
【請求項５】
前記定着器の予備加熱を許可する定着許可信号を生成する定着許可信号生成部を備え、
前記ＤＣ電源部は、前記主電源スイッチがオンされた場合に、前記第１の電源制御部、前記第２の電源制御部及び前記定着許可信号生成部に第１のＤＣ電源出力を入力して起動させ、
前記定着許可信号生成部は、その起動完了後で、前記定着器の予備加熱が可能な場合に定着許可信号を生成し、
前記定着加熱副制御部は、前記生成された定着許可信号に基づいて前記定着器を予備加熱させることを特徴とする請求項３又は４に記載の画像形成装置。
【請求項６】
ＤＣ電源出力をオフからオンへ切り替える起動手段を備え、
前記第２の電源制御部は、前記起動手段がオンされた場合に、前記ＤＣ電源部から出力される第２のＤＣ電源出力を制御することを特徴とする請求項１から５のいずれか一項に記載の画像形成装置。
【請求項７】
前記第２の電源制御部は、前記エンジン制御部に一体的に含まれることを特徴とする請求項１から６のいずれか一項に記載の画像形成装置。
【請求項８】
前記第２の電源制御部の起動時間は、１秒以下であることを特徴とする請求項１から７のいずれか一項に記載の画像形成装置。
【請求項９】
記録媒体に画像を形成する画像形成装置において、
ＡＣ電源をオフからオンへ切り替える主電源スイッチと、
前記ＡＣ電源から供給されるＡＣ電源電力をＤＣ変換するＤＣ電源部と、
前記ＤＣ電源部から出力されるＤＣ電源出力を制御する電源制御部と、
画像形成装置の全体的な動作を制御する全体制御部と、
画像形成装置の制御のうちの所定の制御を行うエンジン制御部と、
記録媒体にトナーを定着する定着器と、を備え、
前記ＤＣ電源部は、前記主電源スイッチがオンされた場合に、第１のＤＣ電源出力を前記電源制御部に入力して起動させ、
前記電源制御部は、第１の電源制御信号を生成して前記ＤＣ電源部に入力し、
前記ＤＣ電源部は、前記電源制御部から入力された第１の電源制御信号に基づいて、第２のＤＣ電源出力を生成して前記全体制御部及び前記エンジン制御部に入力して前記全体制御部及び前記エンジン制御部の起動を開始させ、
前記電源制御部は、前記エンジン制御部の起動完了後に、第２の電源制御信号を生成して前記ＤＣ電源部に入力し、
前記ＤＣ電源部は、前記電源制御部から入力された第２の電源制御信号に基づいて、第３のＤＣ電源出力を生成し、
前記起動完了したエンジン制御部は、前記ＡＣ電源から供給されるＡＣ電源電力により前記定着器を加熱させるとともに、前記生成された第３のＤＣ電源出力により前記全体制御部の起動完了を要しない予備動作の実行を制御することを特徴とする画像形成装置。
【請求項１０】
前記ＤＣ電源部は、前記全体制御部及び前記エンジン制御部の起動を並行して開始させることを特徴とする請求項９に記載の画像形成装置。
【請求項１１】
前記エンジン制御部よりも起動時間が短く、前記定着器の加熱を制御する定着加熱副制御部を備え、
前記ＤＣ電源部は、前記電源制御部から入力された第１の電源制御信号に基づいて、第２のＤＣ電源出力を生成して前記全体制御部、前記エンジン制御部及び前記定着加熱副制御部に入力して起動させ、
前記定着加熱副制御部は、前記エンジン制御部の起動完了前に、前記ＡＣ電源から供給されるＡＣ電源電力により前記定着器を予備加熱させることを特徴とする請求項９又は１０に記載の画像形成装置。
【請求項１２】
前記定着加熱副制御部は、前記エンジン制御部の起動完了前に前記定着器が所定温度に達した場合には、前記所定温度を維持するように前記エンジン制御部の起動完了まで温度制御を行い、
前記エンジン制御部の起動完了時に前記所定温度に達していない場合は、
前記エンジン制御部が、その起動完了後に、前記定着器を加熱させることを特徴とする請求項１１に記載の画像形成装置。
【請求項１３】
前記定着器の予備加熱を許可する定着許可信号を生成する定着許可信号生成部を備え、
前記ＤＣ電源部は、前記主電源スイッチがオンされた場合に、前記電源制御部及び前記定着許可信号生成部に第１のＤＣ電源出力を入力して起動させ、
前記定着許可信号生成部は、その起動完了後で、前記定着器の予備加熱が可能な場合に定着許可信号を生成し、
前記定着加熱副制御部は、前記生成された定着許可信号に基づいて前記定着器を予備加熱させることを特徴とする請求項１１又は１２に記載の画像形成装置。
【請求項１４】
記録媒体に画像を形成する画像形成装置において、
ＡＣ電源をオフからオンへ切り替える主電源スイッチと、
前記ＡＣ電源から供給されるＡＣ電源電力をＤＣ変換するＤＣ電源部と、
画像形成装置の全体的な動作を制御する全体制御部と、
画像形成装置の制御のうちの所定の制御を行うエンジン制御部と、
記録媒体にトナーを定着する定着器と、を備え、
前記ＤＣ電源部は、前記主電源スイッチがオンされた場合に、ＤＣ電源出力を生成して前記全体制御部及び前記エンジン制御部に入力して起動させ、
前記起動完了したエンジン制御部は、前記ＡＣ電源から供給されるＡＣ電源電力により前記定着器を加熱させるとともに、前記生成されたＤＣ電源出力により前記全体制御部の起動完了を要しない予備動作の実行を制御し、
前記エンジン制御部による前記定着器の加熱時間、及び前記全体制御部の起動完了を要しない予備動作の実行時間の少なくとも１つと、前記全体制御部の起動時間とが少なくとも一部で重なることを特徴とする画像形成装置。
【請求項１５】
ＤＣ電源出力をオフからオンへ切り替える起動手段を備え、
前記電源制御部は、前記起動手段がオンされた場合に、前記ＤＣ電源部から出力される第２のＤＣ電源出力を制御することを特徴とする請求項９から１４のいずれか一項に記載の画像形成装置。
【請求項１６】
画像形成装置の異常を検知する異常検知部を備え、
前記電源制御部は、前記異常検知部が異常を検知しない場合に、前記第３のＤＣ電源出力を生成し、
前記起動完了したエンジン制御部は、前記異常検知部が異常を検知しない場合に、前記全体制御部の起動完了を要しない予備動作の実行を制御することを特徴とする請求項９から１５のいずれか一項に記載の画像形成装置。
【請求項１７】
トナー像を作像する感光体ドラムと、トナーを含む現像剤を格納する現像器と、前記感光体ドラムにレーザ光を走査し照射するポリゴンモータと、前記感光体ドラムを帯電する帯電部及びその第１の電極と、トナー画像を転写する転写手段及びその第２の電極と、転写紙を前記感光体ドラムから分離する分離手段及びその第３の電極と、前記転写紙を格納する格納手段と、原稿から画像を読み取る画像読み取り手段と、のうちの少なくとも１つを備え、
前記全体制御部の起動完了を要しない予備動作は、前記定着器における加熱温度調整及び定着ローラの予備回転動作と、前記現像器におけるトナー濃度の補正と、前記ポリゴンモータの回転と、前記第１の電極の清掃と、前記第２の電極の清掃と、前記第３の電極の清掃と、画像形成装置内の冷却と、前記画像読み取り手段のホームポジション復帰と、前記格納手段のホームポジション復帰と、のうちの少なくとも１つであることを特徴とする請求項９から１６のいずれか一項に記載の画像形成装置。
【請求項１８】
前記定着器は、電磁誘導により加熱されることを特徴とする請求項３、４及び９から１７のいずれか一項に記載の画像形成装置。
【請求項１９】
前記主電源スイッチ又は前記起動手段がオンされてから画像形成可能状態となるまでの起動時間が３０秒以下であることを特徴とする請求項６又は１５に記載の画像形成装置。
【発明の詳細な説明】
【技術分野】
【０００１】
本発明は、記録媒体に画像を形成する画像形成装置に関する。
【背景技術】
【０００２】
レーザ式のプリンタ、複写機などの画像形成装置において、画像データをプリント出力するにあたり、画像データに基づいて感光体ドラム上にトナー像を現像し、そのトナー像を紙などの記録媒体上に転写して定着器により加熱及び加圧して当該記録媒体上に画像形成している。この定着器の加熱には所定時間を要するため、従来、電源投入から画像形成可能状態になるまでの時間を短縮するためにいくつかの構成が考えられていた。ここで、その画像形成可能状態となるまでの時間短縮の構成の一例として、図１０及び図１１を参照して、複写機２００における電源投入から画像形成可能状態になるまでの時間を短縮する構成を説明する。図１０に、複写機３００の制御構成を示す。図１１に、複写機３００において実行される従来の画像形成起動処理を示す。
【０００３】
図１０に示すように、複写機３００は、ＡＣ（交流）電源１１と、ＡＣ電源１１をオン／オフする主電源スイッチ１２と、ＡＣ電源１１から入力されたＡＣ電源電力を変換してＤＣ（直流）電源出力を第１及び第２のＤＣ電源出力として出力するＤＣ電源部１３と、定着加熱部２１を加熱電力により駆動するＡＣ駆動部１４と、操作パネルなどにおける電源スイッチとしての副電源スイッチ１５と、ＤＣ電源部１３から出力される第２のＤＣ電源出力を制御する電源制御部１６Ｂと、画像頁作成の制御などを行う全体制御部１７Ｃと、定着系や図示しない紙搬送系の制御などを行うエンジン制御部１８と、ＡＣ駆動部１４への電源電力の通電を切り替えるメインリレー１９と、図示しない感光体ドラムによりトナー像が転写された記録媒体に加熱及び加圧を行う定着ローラ２０と、定着ローラ２０を加熱するための誘導加熱コイルからなる定着加熱部２１と、定着ローラ２０を回転するモータなどからなり、定着ローラ２０を回転するモータ２２と、定着ローラ２０の温度を検知する温度センサ２３と、を備えて構成される。
【０００４】
図１０では、複写機３００の、紙搬送に関する手段、感光体ドラムを含む画像形成に関する手段、パソコンなどの外部機器との通信に関する手段、原稿を読み取る画像読み取り手段などは省略されているものとする。また、定着器は、定着ローラ２０、定着加熱部２１、温度センサ２３及びモータ２２などを有する。
【０００５】
次いで、図１１を参照して、複写機３００の動作を説明する。図１１に示すように、先ず、主電源スイッチ１２がオンされたことをトリガとして、ＡＣ電源１１から出力されるＡＣ電源電力が電源部１３により変換されて電源制御部１６ＢにＤＣの第１のＤＣ電源出力として出力される（ステップＳ７１）。そして、第１のＤＣ電源出力により電源制御部１６Ｂが起動される（ステップＳ７２）。そして、操作者により副電源スイッチ１５がオンされているか否かが判別される（ステップＳ７３）。
【０００６】
副電源スイッチ１５がオンされていない場合（ステップＳ７３；ＮＯ）、ステップＳ７３に移行される。副電源スイッチ１５がオンされている場合（ステップＳ７３；ＹＥＳ）、副電源スイッチ１５から起動信号が出力されて電源制御部１６Ｂに入力される。起動信号の入力により電源制御部１６Ｂから電源制御信号が生成及び出力されてＤＣ電源部１３に入力される。電源制御信号の入力によりＤＣ電源部１３からＤＣの第２のＤＣ電源出力が生成及び出力されて全体制御部１７Ｃ及びエンジン制御部１８に入力される（ステップＳ７４）。
【０００７】
そして、第２のＤＣ電源出力の入力により全体制御部１７Ｃが起動実行され（ステップＳ７５Ａ）、ステップＳ７５Ａと並行して、第２のＤＣ電源出力の入力によりエンジン制御部１８が起動実行される（ステップＳ７５Ｂ）。ステップＳ７５Ａ及びＳ７５Ｂのうちの少なくとも一方が実行完了されると、全体制御部１７Ｃとエンジン制御部１８との間で初期通信が試行される（ステップＳ７６）。そして、全体制御部１７Ｃとエンジン制御部１８との間で初期通信が確立したか否かが判別される（ステップＳ７７）。全体制御部１７Ｃとエンジン制御部１８との間の初期通信が確立するには、全体制御部１７Ｃとエンジン制御部１８との両方の起動が実行完了されていることが必要である。
【０００８】
初期通信が確立していない場合（ステップＳ７７；ＮＯ）、ステップＳ７６に移行される。初期通信が確立した場合（ステップＳ７７；ＹＥＳ）、メインリレー１９がオンされて、ＡＣ電源１１から出力されるＡＣ電源電力がＡＣ駆動部１４に入力されるとともに、エンジン制御部１８から制御信号が生成及び出力されてＡＣ駆動部１４及びモータ２２等に入力される。ＡＣ電源電力及び制御信号の入力により、ＡＣ駆動部１４からＡＣの加熱電力が出力されて定着加熱部２１に入力され、定着ローラ２０が加熱されてウォーミングアップされる（ステップＳ７８）。
【０００９】
また、初期通信が確立した後は、全体制御部１７Ｃが電源制御指令を生成して電源制御部１６Ｂに入力する。当該電源制御指令に基づいて電源制御部１６Ｂにより電源制御信号が生成及び出力されＤＣ電源部１３に入力される。そして、制御信号が入力されたモータ２２による定着ローラ２０の予備回転補正や、全体制御部１７Ｃ及びエンジン制御部１８による各部の予備制御などの予備動作が実行され（ステップＳ７９）、従来の画像形成起動処理が終了される。
【００１０】
このように、ステップＳ７５Ａにおける全体制御部１７Ｃの起動とステップＳ７５Ｂにおけるエンジン制御部１８の起動とを並行して実行する構成により、両起動を直列的に実行する構成に比べて、電源投入から画像形成可能状態になるまでの時間が短縮可能となる。
【００１１】
また、電源投入後の全体制御部及びエンジン制御部の起動の前に、一旦省エネモードを起動する構成も考えられている。具体的には、主電源スイッチの投入後に、定着器に通電するメインリレーの電源制御手段を先に起動して、起動した電源制御手段によりメインリレーがオンされて定着器が所定温度まで加熱され、定着器に低電力が供給される省エネモードが実行される。次いで、自動的に、全体制御部及び及びエンジン制御部が起動されて初期通信がなされ、起動されたエンジン制御部により、定着器の加熱と、定着ローラの予備回転補正などの各種処理がなされる。全体制御部及びエンジン制御部の起動前に予め定着器を加熱するので、電源投入から画像形成可能状態になるまでの時間が短縮される（例えば、特許文献１参照）。
【００１２】
上記省エネモードの構成と同様に、電源投入後に、一旦省エネモードを起動し、省エネモードの解除の操作が入力された場合に、全体制御部及びエンジン制御部が起動される構成も考えられている（例えば、特許文献２参照）。
【特許文献１】特開２０００−２１４７３４号公報
【特許文献２】特開２００１−２２２３４号公報
【発明の開示】
【発明が解決しようとする課題】
【００１３】
しかし、近年、画像形成装置のシステムの大規模化及び多機能化がすすみ、全体制御部により読み出されるプログラムが複雑になってきており、そのプログラムのロード時間が長く、全体制御部の起動に時間がかかる傾向にある。このため、図１０及び図１１に示した複写機３００における構成では、従来の画像形成起動処理のステップＳ７５Ａの全体制御部１７Ｃの起動完了に要する時間が、ステップＳ７５Ｂのエンジン制御部１８の起動完了に要する時間よりも長くなってしまうおそれがあった。つまり、エンジン制御部１８が起動完了して定着器の加熱が可能であるにも関わらず、全体制御部１７Ｃの起動完了を待たなければならなかった。
【００１４】
また、特許文献１及び２に記載の構成では、予め定着器を低電力で加熱するので、定着器が画像形成に要する温度まで加熱完了時間を早めることができるが、全体制御部の起動と定着器の加熱および予備動作とが直列であることになるため、上記複写機３００の構成と同様に、全体制御部及びエンジン制御部の起動完了及び初期通信完了後の、エンジン制御部による定着器の加熱及び予備回転補正などの予備動作の開始が遅れてしまうという問題があった。
【００１５】
特に、近年、定着器の定着加熱部として、所定温度までの加熱時間の長いハロゲンヒータに代えて、加熱時間の短い電磁誘導加熱（ＩＨ）のヒータが用いられるようになってきた。このため、電源投入から画像形成可能状態になるまでの時間の増大に寄与する要因として、定着器の加熱時間が長いことよりも、全体制御部の起動時間の増大の占める割合が大きくなってきている。
【００１６】
本発明の課題は、画像形成装置において、全体制御部の起動時間の影響を軽減して、電源投入から画像形成可能状態にするまでの時間を短縮することである。
【課題を解決するための手段】
【００１７】
上記の課題を解決するために、請求項１に記載の発明は、記録媒体に画像を形成する画像形成装置において、
ＡＣ電源をオフからオンへ切り替える主電源スイッチと、
前記ＡＣ電源から供給されるＡＣ電源電力をＤＣ変換して出力するＤＣ電源部と、
画像形成装置の全体的な動作を制御する全体制御部と、
画像形成装置の制御のうちの所定の制御を行うエンジン制御部と、
前記全体制御部に含まれる又は管理される第１の電源制御部と、
前記第１の電源制御よりも起動時間の短い第２の電源制御部と、を備え、
前記ＤＣ電源部は、前記主電源スイッチがオンされた場合に、第１のＤＣ電源出力を前記第１の電源制御部及び前記第２の電源制御部に入力して前記第１の電源制御部及び前記第２の電源制御部の起動を開始させ、
前記第２の電源制御部は、前記第１の電源制御部の起動完了前に、電源制御信号を生成して前記ＤＣ電源部に入力し、
前記ＤＣ電源部は、前記第２の電源制御部から入力された電源制御信号に基づいて、第２のＤＣ電源出力を生成して前記全体制御部及び前記エンジン制御部に入力して起動させ、
前記全体制御部は、前記第１の電源制御部の起動完了後に、前記ＤＣ電源部から入力される第２のＤＣ電源出力により起動し、
前記第１の電源制御部は、前記全体制御部の起動完了後に、前記ＤＣ電源部から出力されるＤＣ電源出力を制御することを特徴とする。
【００１８】
請求項２に記載の発明は、請求項１に記載の画像形成装置において、
前記ＤＣ電源部は、前記主電源スイッチがオンされた場合に、前記第１の電源制御部及び前記第２の電源制御部の起動を並行して開始させることを特徴とする。
【００１９】
請求項３に記載の発明は、請求項１又は２に記載の画像形成装置において、
記録媒体にトナーを定着する定着器と、
前記エンジン制御部よりも起動時間が短く、前記定着器の加熱を制御する定着加熱副制御部と、を備え、
前記ＤＣ電源部は、前記第２の電源制御部から入力された電源制御信号に基づいて、第２のＤＣ電源出力を生成して前記全体制御部、前記エンジン制御部及び前記定着加熱副制御部に入力して起動させ、
前記定着加熱副制御部は、前記エンジン制御部の起動完了前に、前記ＡＣ電源から供給されるＡＣ電源電力により前記定着器を予備加熱させることを特徴とする。
【００２０】
請求項４に記載の発明は、請求項３に記載の画像形成装置において、
前記定着加熱副制御部は、前記エンジン制御部の起動完了前に前記定着器が所定温度に達した場合には、前記所定温度を維持するように前記エンジン制御部の起動完了まで温度制御を行い、
前記エンジン制御部の起動完了時に前記所定温度に達していない場合は、前記エンジン制御部が、その起動完了後に、前記定着器を加熱させることを特徴とする。
【００２１】
請求項５に記載の発明は、請求項３又は４に記載の画像形成装置において、
前記定着器の予備加熱を許可する定着許可信号を生成する定着許可信号生成部を備え、
前記ＤＣ電源部は、前記主電源スイッチがオンされた場合に、前記第１の電源制御部、前記第２の電源制御部及び前記定着許可信号生成部に第１のＤＣ電源出力を入力して起動させ、
前記定着許可信号生成部は、その起動完了後で、前記定着器の予備加熱が可能な場合に定着許可信号を生成し、
前記定着加熱副制御部は、前記生成された定着許可信号に基づいて前記定着器を予備加熱させることを特徴とする。
【００２２】
請求項６に記載の発明は、請求項１から５のいずれか一項に記載の画像形成装置において、
ＤＣ電源出力をオフからオンへ切り替える起動手段を備え、
前記第２の電源制御部は、前記起動手段がオンされた場合に、前記ＤＣ電源部から出力される第２のＤＣ電源出力を制御することを特徴とする。
【００２３】
請求項７に記載の発明は、請求項１から６のいずれか一項に記載の画像形成装置において、
前記第２の電源制御部は、前記エンジン制御部に一体的に含まれることを特徴とする。
【００２４】
請求項８に記載の発明は、請求項１から７のいずれか一項に記載の画像形成装置において、
前記第２の電源制御部の起動時間は、１秒以下であることを特徴とする。
【００２５】
請求項９に記載の発明は、記録媒体に画像を形成する画像形成装置において、
ＡＣ電源をオフからオンへ切り替える主電源スイッチと、
前記ＡＣ電源から供給されるＡＣ電源電力をＤＣ変換するＤＣ電源部と、
前記ＤＣ電源部から出力されるＤＣ電源出力を制御する電源制御部と、
画像形成装置の全体的な動作を制御する全体制御部と、
画像形成装置の制御のうちの所定の制御を行うエンジン制御部と、
記録媒体にトナーを定着する定着器と、を備え、
前記ＤＣ電源部は、前記主電源スイッチがオンされた場合に、第１のＤＣ電源出力を前記電源制御部に入力して起動させ、
前記電源制御部は、第１の電源制御信号を生成して前記ＤＣ電源部に入力し、
前記ＤＣ電源部は、前記電源制御部から入力された第１の電源制御信号に基づいて、第２のＤＣ電源出力を生成して前記全体制御部及び前記エンジン制御部に入力して前記全体制御部及び前記エンジン制御部の起動を開始させ、
前記電源制御部は、前記エンジン制御部の起動完了後に、第２の電源制御信号を生成して前記ＤＣ電源部に入力し、
前記ＤＣ電源部は、前記電源制御部から入力された第２の電源制御信号に基づいて、第３のＤＣ電源出力を生成し、
前記起動完了したエンジン制御部は、前記ＡＣ電源から供給されるＡＣ電源電力により前記定着器を加熱させるとともに、前記生成された第３のＤＣ電源出力により前記全体制御部の起動完了を要しない予備動作の実行を制御することを特徴とする。
【００２６】
請求項１０に記載の発明は、請求項９に記載の画像形成装置において、
前記ＤＣ電源部は、前記全体制御部及び前記エンジン制御部の起動を並行して開始させることを特徴とする。
【００２７】
請求項１１に記載の発明は、請求項９又は１０に記載の画像形成装置において、
前記エンジン制御部よりも起動時間が短く、前記定着器の加熱を制御する定着加熱副制御部を備え、
前記ＤＣ電源部は、前記電源制御部から入力された第１の電源制御信号に基づいて、第２のＤＣ電源出力を生成して前記全体制御部、前記エンジン制御部及び前記定着加熱副制御部に入力して起動させ、
前記定着加熱副制御部は、前記エンジン制御部の起動完了前に、前記ＡＣ電源から供給されるＡＣ電源電力により前記定着器を予備加熱させることを特徴とする。
【００２８】
請求項１２に記載の発明は、請求項１１に記載の画像形成装置において、
前記定着加熱副制御部は、前記エンジン制御部の起動完了前に前記定着器が所定温度に達した場合には、前記所定温度を維持するように前記エンジン制御部の起動完了まで温度制御を行い、
前記エンジン制御部の起動完了時に前記所定温度に達していない場合は、
前記エンジン制御部が、その起動完了後に、前記定着器を加熱させることを特徴とする。
【００２９】
請求項１３に記載の発明は、請求項１１又は１２に記載の画像形成装置において、
前記定着器の予備加熱を許可する定着許可信号を生成する定着許可信号生成部を備え、
前記ＤＣ電源部は、前記主電源スイッチがオンされた場合に、前記電源制御部及び前記定着許可信号生成部に第１のＤＣ電源出力を入力して起動させ、
前記定着許可信号生成部は、その起動完了後で、前記定着器の予備加熱が可能な場合に定着許可信号を生成し、
前記定着加熱副制御部は、前記生成された定着許可信号に基づいて前記定着器を予備加熱させることを特徴とする。
【００３０】
請求項１４に記載の発明は、記録媒体に画像を形成する画像形成装置において、
ＡＣ電源をオフからオンへ切り替える主電源スイッチと、
前記ＡＣ電源から供給されるＡＣ電源電力をＤＣ変換するＤＣ電源部と、
画像形成装置の全体的な動作を制御する全体制御部と、
画像形成装置の制御のうちの所定の制御を行うエンジン制御部と、
記録媒体にトナーを定着する定着器と、を備え、
前記ＤＣ電源部は、前記主電源スイッチがオンされた場合に、ＤＣ電源出力を生成して前記全体制御部及び前記エンジン制御部に入力して起動させ、
前記起動完了したエンジン制御部は、前記ＡＣ電源から供給されるＡＣ電源電力により前記定着器を加熱させるとともに、前記生成されたＤＣ電源出力により前記全体制御部の起動完了を要しない予備動作の実行を制御し、
前記エンジン制御部による前記定着器の加熱時間、及び前記全体制御部の起動完了を要しない予備動作の実行時間の少なくとも１つと、前記全体制御部の起動時間とが少なくとも一部で重なることを特徴とする。
【００３１】
請求項１５に記載の発明は、請求項９から１４のいずれか一項に記載の画像形成装置において、
ＤＣ電源出力をオフからオンへ切り替える起動手段を備え、
前記電源制御部は、前記起動手段がオンされた場合に、前記ＤＣ電源部から出力される第２のＤＣ電源出力を制御することを特徴とする。
【００３２】
請求項１６に記載の発明は、請求項９から１５のいずれか一項に記載の画像形成装置において、
画像形成装置の異常を検知する異常検知部を備え、
前記電源制御部は、前記異常検知部が異常を検知しない場合に、前記第３のＤＣ電源出力を生成し、
前記起動完了したエンジン制御部は、前記異常検知部が異常を検知しない場合に、前記全体制御部の起動完了を要しない予備動作の実行を制御することを特徴とする。
【００３３】
請求項１７に記載の発明は、請求項９から１６のいずれか一項に記載の画像形成装置において、
トナー像を作像する感光体ドラムと、トナーを含む現像剤を格納する現像器と、前記感光体ドラムにレーザ光を走査し照射するポリゴンモータと、前記感光体ドラムを帯電する帯電部及びその第１の電極と、トナー画像を転写する転写手段及びその第２の電極と、転写紙を前記感光体ドラムから分離する分離手段及びその第３の電極と、前記転写紙を格納する格納手段と、原稿から画像を読み取る画像読み取り手段と、のうちの少なくとも１つを備え、
前記全体制御部の起動完了を要しない予備動作は、前記定着器における加熱温度調整及び定着ローラの予備回転動作と、前記現像器におけるトナー濃度の補正と、前記ポリゴンモータの回転と、前記第１の電極の清掃と、前記第２の電極の清掃と、前記第３の電極の清掃と、画像形成装置内の冷却と、前記画像読み取り手段のホームポジション復帰と、前記格納手段のホームポジション復帰と、のうちの少なくとも１つであることを特徴とする。
【００３４】
請求項１８に記載の発明は、請求項３、４及び９から１７のいずれか一項に記載の画像形成装置において、
前記定着器は、電磁誘導により加熱されることを特徴とする。
【００３５】
請求項１９に記載の発明は、請求項６又は１５に記載の画像形成装置において、
前記主電源スイッチ又は前記起動手段がオンされてから画像形成可能状態となるまでの起動時間が３０秒以下であることを特徴とする。
【発明の効果】
【００３６】
請求項１に記載の発明によれば、主電源スイッチがオンされた場合に、第１の電源制御部及び第２の電源制御部の起動を開始し、起動完了した第２の電源制御部がＤＣ電源部を介して第２のＤＣ電源出力により全体制御部及びエンジン制御部を起動し、全体制御部が、第１の電源制御部の起動完了後に第２のＤＣ電源出力により起動開始するので、第１の電源制御部が起動完了していなく且つ第２の電源制御部が起動完了している場合に、エンジン制御部を全体制御部よりも早く起動開始して、全体制御部の起動時間の影響を軽減して、電源投入から画像形成可能状態にするまでの時間を短縮することができる。
【００３７】
請求項２に記載の発明によれば、主電源スイッチがオンされた場合に、第１の電源制御部及び第２の電源制御部の起動を並行して開始するので、第２の電源制御部をより早く起動完了し、エンジン制御部を全体制御部よりもさらに早く起動開始でき、全体制御部の起動時間の影響を軽減して、電源投入から画像形成可能状態にするまでの時間をより短縮することができる。
【００３８】
請求項３に記載の発明によれば、エンジン制御部が起動完了していなく且つ定着加熱副制御部が起動完了している場合に、定着加熱副制御部により定着器を予備加熱させるので、定着器の加熱開始を早めることができ、全体制御部及びエンジン制御部の起動時間の影響を軽減して、電源投入から画像形成可能状態にするまでの時間を短縮することができる。
【００３９】
請求項４に記載の発明によれば、定着加熱副制御部が、エンジン制御部の起動完了前に定着器が所定温度に達した場合には、その所定温度を維持するようにエンジン制御部の起動完了まで温度制御を行い、エンジン制御部の起動完了時に所定温度に達していない場合は、エンジン制御部が、その起動完了後に、定着器を加熱させるので、より安全に定着器を加熱できる。
【００４０】
請求項５に記載の発明によれば、定着加熱副制御部により、定着許可信号生成部からの定着許可信号に基づいて定着器を予備加熱させるので、安全に予備加熱を行うことができる。
【００４１】
請求項６に記載の発明によれば、起動手段がオンされた場合に、第２の電源制御部が、ＤＣ電源部から出力される第２のＤＣ電源出力を生成制御するので、起動手段のオフ時の消費電力を低減することができる。
【００４２】
請求項７に記載の発明によれば、第２の電源制御部をエンジン制御部に一体的に含めることができる。
【００４３】
請求項８に記載の発明によれば、第２の電源制御部の起動時間が１秒以下であるので、電源投入から画像形成可能状態にするまでの時間をさらに短縮することができる。
【００４４】
請求項９に記載の発明によれば、主電源スイッチがオンされた場合に、電源制御部を起動し、起動した電源制御部が全体制御部及びエンジン制御部を起動開始し、起動完了したエンジン制御部が定着器への通電を制御するとともに、全体制御部の起動完了を要しない予備動作の実行を制御するので、全体制御部の起動完了よりも早く、定着器の加熱と、全体制御部の起動完了を要しない予備動作とを実行でき、全体制御部の起動時間の影響を軽減して、電源投入から画像形成可能状態にするまでの時間を短縮することができる。
【００４５】
請求項１０に記載の発明によれば、全体制御部及びエンジン制御部の起動を並行して開始するので、エンジン制御部をより早く起動完了でき、全体制御部の起動時間の影響を軽減して、電源投入から画像形成可能状態にするまでの時間をより短縮することができる。
【００４６】
請求項１１に記載の発明によれば、エンジン制御部が起動完了していなく且つ定着加熱副制御部が起動完了している場合に、定着加熱副制御部により定着器を予備加熱させるので、定着器の加熱開始を早めることができ、全体制御部及びエンジン制御部の起動時間の影響を軽減して、電源投入から画像形成可能状態にするまでの時間を短縮することができる。
【００４７】
請求項１２に記載の発明によれば、定着加熱副制御部が、エンジン制御部の起動完了前に定着器が所定温度に達した場合には、所定温度を維持するようにエンジン制御部の起動完了まで温度制御を行い、エンジン制御部の起動完了時に所定温度に達していない場合は、エンジン制御部が、その起動完了後に、定着器を加熱させるので、エンジン制御部により安全に定着器を加熱できる。
【００４８】
請求項１３に記載の発明によれば、定着加熱副制御部により、定着許可信号生成部からの定着許可信号に基づいて定着器を予備加熱させるので、安全に予備加熱を行うことができる。
【００４９】
請求項１４に記載の発明によれば、エンジン制御部による定着器の加熱時間、及び全体制御部の起動完了を要しない予備動作の実行時間の少なくとも１つと、全体制御部の起動時間とが、少なくとも一部で重なるので、全体制御部の起動完了前に、定着器の加熱と、全体制御部の起動完了を要しない予備動作との少なくとも１つが実行開始され、全体制御部の起動時間の影響を軽減して、電源投入から画像形成可能状態にするまでの時間を短縮することができる。
【００５０】
請求項１５に記載の発明によれば、起動手段がオンされた場合に、電源制御部が、ＤＣ電源部から出力される第２のＤＣ電源出力を生成制御するので、起動手段のオフ時の消費電力を低減することができる。
【００５１】
請求項１６に記載の発明によれば、異常検知部が異常を検知しない場合に、エンジン制御部により、定着器の加熱と、全体制御部の起動完了を要しない予備動作の実行とが制御されるので、安全に画像形成可能状態にすることができる。
【００５２】
請求項１７に記載の発明によれば、全体制御部の起動完了を要しない予備動作を、定着器における加熱温度調整及び定着ローラの予備回転動作と、現像器におけるトナー濃度の補正と、ポリゴンモータの回転と、帯電部の第１の電極の清掃と、転写手段の第２の電極の清掃と、分離手段の第３の電極の清掃と、画像形成装置内の冷却と、画像読み取り手段のホームポジション復帰と、格納手段のホームポジション復帰と、のうちの少なくとも１つとして構成できる。
【００５３】
請求項１８に記載の発明によれば、定着器が電磁誘導により加熱されるので、定着器の加熱時間が短く、電源投入から画像形成可能状態にするまでの時間の短縮の割合を大きくすることができる。
【００５４】
請求項１９に記載の発明によれば、主電源スイッチ又は起動手段がオンされてから画像形成可能状態となるまでの起動時間を３０秒以下にすることができる。
【発明を実施するための最良の形態】
【００５５】
以下、図面を参照して本発明に係る第１〜第３の実施の形態を順に説明する。ただし、発明の範囲は、図示例に限定されない。
【００５６】
（第１の実施の形態）
図１〜図４を参照して、本発明に係る第１の実施の形態を説明する。先ず、図１及び図２を参照して本実施の形態の装置の特徴を説明する。図１に、本実施の形態の複写機１００の制御構成を示す。図２に、複写機１００の全体構成を示す。
【００５７】
図１に示すように、画像形成装置としての複写機１００は、ＡＣ電源１１と、主電源スイッチ１２と、ＤＣ電源部１３と、ＡＣ駆動部１４と、副電源スイッチ１５と、第２の電源制御部１６Ａと、全体制御部１７Ａと、エンジン制御部１８と、メインリレー１９と、定着ローラ２０と、定着加熱部２１と、モータ２２と、温度センサ２３と、異常検知部２４と、を備えて構成される。また、全体制御部１７Ａは、第１の電源制御部１７１を含む。
【００５８】
ＡＣ電源１１は、ＡＣ電源電力を供給する。主電源スイッチ１２は、操作者の操作によりＡＣ電源１１からＤＣ電源部１３へのＡＣ電源電力の通電をオン／オフする。ＤＣ電源部１３は、ＡＣ電源１１から入力されたＡＣの電源電力を変換してそのＤＣの電源出力を第１のＤＣ電源出力として第１の電源制御部１７１及び第２の電源制御部１６Ａに出力する。また、ＤＣ電源部１３は、第２の電源制御部１６Ａから入力される電源制御信号により、適切なＤＣ電源出力を第２のＤＣ電源出力として生成し全体制御部１７Ａ及びエンジン制御部１８に出力する。また、ＤＣ電源部１３は、第２の電源制御部１６Ａから入力される電源制御信号により、適切なＤＣ電源出力を第３のＤＣ電源出力として生成しモータ２２等に出力する。
【００５９】
ＡＣ駆動部１４は、エンジン制御部１８から入力される制御信号と、ＡＣ電源１１から入力されるＡＣ電源電力とにより定着加熱部２１を駆動する加熱電力を生成し定着加熱部２１に出力する。副電源スイッチ１５は、操作パネルなどにおける電源スイッチであり、操作者の操作によりオンされることで起動信号を第１の電源制御部１７１及び第２の電源制御部１６Ａに出力する。主電源スイッチ１２がオンされた状態で、さらに副電源スイッチ１５がオンされることをトリガとして、複写機１００が画像形成可能状態に起動される。
【００６０】
第２の電源制御部１６Ａは、全体制御部１７Ａが起動する前に動作される電源制御部である。第２の電源制御部１６Ａは、副電源スイッチ１５から入力された起動信号と、異常検知部２４から入力される検知信号と、第１の電源制御部１７１から入力された電源制御信号と、予め設定された所定の設定条件となどに基づいて電源制御信号を生成してＤＣ電源部１３に出力する。第２の電源制御部１６Ａから出力された電源制御信号により、ＤＣ電源部１３から出力される第２及び第３のＤＣ電源出力が制御される。
【００６１】
全体制御部１７Ａは、ＤＣ電源部１３から第２のＤＣ電源出力が入力され、画像形成する画像頁作成、その頁管理、図示しない外部機器との通信管理などの全体的な動作を行う。また、全体制御部１７Ａは、エンジン制御部１８との通信を行い、エンジン制御部１８における各種制御を管理する。第１の電源制御部１７１は、ＤＣ電源部１３から第１のＤＣ電源出力が入力され、副電源スイッチ１５から入力された起動信号などに基づいて、電源制御指令を生成及び出力して第２の電源制御部１６Ａに入力する。
【００６２】
エンジン制御部１８は、メインリレー１９のオン／オフ制御、定着器や図示しない紙搬送系の制御などを行う。また、エンジン制御部１７Ｂは、温度センサ２３から入力される温度検知信号と、異常検知部２４から入力される検知信号と、ＤＣ電源部１３から入力される第２のＤＣ電源出力とに基づく制御信号を生成してＡＣ駆動部１４及びモータ２２等に出力する。
【００６３】
全体制御部１７Ａ，エンジン制御部１８は、図示しないメモリから各種制御プログラムを読み込んで実行することにより制御を行う。全体制御を行うためのプログラムは大きく、特に、複写機１００が多機能になればプログラムも複雑かつ大容量となる。このため、全体制御部１７Ａの起動時間は、例えば、数秒〜数十秒の長時間を要する。これに対して、エンジン制御部１８は、モータ２２の駆動等の比較的時間のかからない制御のみを対象とするので、比較的シンプルな構成となる。このため、エンジン制御部１８の起動時間は、例えば、１秒以下の短時間しか要しない。
【００６４】
メインリレー１９は、ＡＣ電源１１から入力されるＡＣ電源電力のＡＣ駆動部１４への通電をオン／オフする。定着ローラ２０は、後述する感光体ドラム５１により未定着のトナー像が形成された記録媒体に加熱及び加圧を行い定着する。定着加熱部２１は、電磁誘導加熱コイルにより構成され、ＡＣ駆動部１４から入力された加熱電力に基づいて磁束を出力し、その磁束が定着ローラ２０の後述する加熱ローラ２０Ａに当てられ発生する渦電流のジュール損により加熱する。定着加熱部としてハロゲンヒータを用いる場合には、定着ローラ２０の所定温度までの加熱時間が例えば５分などの長時間を要する。これに対し、誘導加熱コイルを用いる定着加熱部２１による加熱時間は、例えば約３０秒などまでの短時間で済む。
【００６５】
モータ２２は、ＤＣ電源部１３から第３のＤＣ電源出力が入力され、定着ローラ２０を回転する。全体制御部１７Ａの起動完了を要しない予備動作として、モータ２２による、定着ローラ２０の予備回転補正がある。
【００６６】
温度センサ２３は、定着ローラ２０の温度を検知して温度検知信号をエンジン制御部１８に出力する。異常検知部２４は、複写機１００の外部カバー（扉）がインターロックされていないか（カバーが空いているか）と、紙詰まりなどとの各種異常とを検知し、その検知信号をエンジン制御部１８及び第２の電源制御部１６Ａに出力する。また、異常検知部２４は、ＤＣ電源部１３から第３のＤＣ電源出力が入力され、インターロックされていなく且つ各種異常がない場合に、第３のＤＣ電源出力をモータ２２等に出力する。
【００６７】
ここで、図２を参照して、複写機１００の全体構成を説明する。複写機１００は、画像読み取り部３０と、給紙部４０と、画像形成部５０と、定着器６０とを備える。画像読み取り部３０は、ＡＤＦ（Auto Document Feeder）３１と、スキャナ３２とを備えて構成される。ＡＤＦ３１は、原稿トレイＴ１を備える。また、スキャナ３２は、プラテンガラス３３と、光源３４Ａ及び反射鏡等を有する走査部３４と、ＣＣＤ（Charge Coupled Device）３５と、を備える。
【００６８】
画像読み取り部３０において、画像が記録された原稿がプラテンガラス３３上に載置され、原稿上を走査するよう走査部３４（光源３４Ａ）が移動され、光源３４Ａから照射された光が、その原稿を反射し、その反射光からＣＣＤ３５の光電変換により原稿の画像に対応するアナログ画像信号が読み取られ、そのアナログ画像信号が、図示しない読込処理部において画像処理されて、デジタルの画像データが取得される。また、画像読み取り部３０では、ＡＤＦ３１において、原稿トレイＴ１にセットされた原稿Ｏを自動的にプラテンガラス３３上に搬送することが可能である。また、走査部３４にＣＣＤイメージセンサ３５が含まれ、走査時にＣＣＤ３５も移動する構成としてもよい。
【００６９】
給紙部４０は、異なるサイズ、紙種の記録媒体としての記録用紙（転写紙）を給紙する給紙トレイ４１，４２を備える。給紙トレイは、１つ又は３つ以上設けられる構成としてもよい。また、複写機１００は、ユーザが手動で記録用紙を供給するための手差しトレイＴ２を備える。
【００７０】
画像形成部５０は、レーザ式の画像形成部であり、記録用紙に画像データを画像形成する。画像形成部５０は、感光体ドラム５１と、クリーナ５２と、帯電部５３と、露光部５４と、現像器５５と、転写部５６と、を備えて構成される。転写部５６は、転写手段と分離手段とを備えて構成される。
【００７１】
定着器６０は、定着ローラ２０として、記録用紙を加熱する加熱部材としての加熱ローラ２０Ａと、記録用紙を加圧する加圧部材としての加圧ローラ２０Ｂとを有する。加熱ローラ２０Ａ、加圧ローラ２０Ｂは、圧接されてニップ部を形成する。加熱ローラ２０Ａ内には、誘導コイルである定着加熱部２１が設けられる。定着加熱部（誘導加熱コイル）２１は、電力供給により、磁束を発生し、その磁束が加熱ローラ２０Ａに当たり、その表面に発生する渦電流のジュール損により加熱ローラ２０Ａが発熱する。
【００７２】
画像プリントする場合には、全体制御部１７Ａ及びエンジン制御部１８の制御により、先ず、給紙トレイ４１，４２から搬送経路Ｒ１を介して感光体ドラム５１に記録用紙Ｐが供給され、又は手差しトレイＴ２から搬送経路Ｒ２を介して感光体ドラム５１に記録用紙Ｐが供給される。そして、画像形成部５０において、感光体ドラム５１が回転されて、感光体ドラム５１の表面が、帯電部５３により帯電され、露光部５４によるレーザ光の照射により、プリントする画像データに対応する静電潜像が形成され、トナーを含む現像剤を格納する現像器５５により静電潜像にトナーが付着されトナー像が形成される。そして、転写部５６の転写手段により記録用紙Ｐにトナー像が転写され、転写部５６の分離手段により、トナー像が転写された記録用紙Ｐが感光体ドラム５１から分離される。また、感光体ドラム５１上に残ったトナーは、クリーナ５２により除去される。
【００７３】
トナー像が転写された記録用紙Ｐは、搬送経路Ｒ３を介して定着器６０に搬送され、定着器６０により記録用紙上のトナー像が加熱及び加圧して画像形成される。具体的には、トナー像が転写された記録用紙Ｐが、モータ２２により回転され且つ定着加熱部２１により加熱された加熱ローラ２０Ａと、加圧ローラ２０Ｂとのニップ部を通過する際に加熱及び加圧され、未定着のトナー画像が記録用紙に定着される。画像形成された記録用紙Ｐは、搬送経路Ｒ４を介して排紙トレイＴ３に搬送されて排紙される。また、両面プリントの場合には、片面プリントされた記録用紙Ｐが、分離器７１により反転経路Ｒ５に送り出され、反転部７２により表裏が反転させられて感光体ドラム５１に再搬送されて、反転後の表面に画像形成される。
【００７４】
また、全体制御部１７Ａ及びエンジン制御部１８の制御により、温度センサ２３において定着ローラ２０（の加熱ローラ２０Ａ）の温度が検知され、定着ローラ２０が適温に保たれるように制御される。また、各搬送経路Ｒ１〜Ｒ５では、図示しない搬送ローラにより記録用紙が搬送される。図１及び図２では、複写機１００において、パソコンなどの外部機器との通信に関する手段、等は省略されているものとする。
【００７５】
次に、図３及び図４を参照して、複写機１００の動作を説明する。図３に、第１の画像形成起動処理を示す。図４に、第１の画像形成起動処理におけるタイミングチャートを示す。また、図４のタイミングチャートに、対応するステップの符号を付した。
【００７６】
第１の画像形成起動処理とは、複写機１００において、主電源スイッチ１２及び副電源スイッチ１５の投入により、全体制御部１７Ａ及びエンジン制御部１８を起動し、各種予備動作をして、通常の画像形成動作が可能な状態に起動する処理である。
【００７７】
各種予備動作は、全体制御部１７Ａの起動完了を要しない予備動作と、全体制御部１７Ａの起動完了を要する予備動作とがある。全体制御部１７Ａの起動完了を要しない予備動作としては、エンジン制御部１８による、モータ２２による定着ローラ２０の予備回転補正と、温度センサ２３の温度検知信号を用いた定着ローラ２０の加熱温度調整と、現像器５５におけるトナー濃度の補正動作と、露光部５４において感光体ドラム５１にレーザ光を走査し照射する図示しないポリゴンモータの回転と、図示しない清掃手段による帯電部５３の電極の清掃と、図示しない清掃手段による転写部５６の転写手段の電極の清掃と、図示しない清掃手段による転写部５６の分離手段の電極の清掃と、図示しない冷却手段としてのファンなどによる複写機１００内の冷却と、画像読み取り部３０の走査部３４のホームポジション復帰と、記録用紙Ｐを格納する格納手段としての給紙トレイ４１，４２のホームポジション復帰と、などが挙げられる。また、全体制御部１７Ａの起動完了を要しない予備動作を行う各部には、後述する第３のＤＣ電源電力が入力されて、その予備動作が行われる。
【００７８】
全体制御部１７Ａの起動完了を要する予備動作としては、全体制御部１７Ａによる、感光体ドラム５１への作像を伴うトナー濃度の検知及び補正と、画像読み取り部３０のＣＣＤ３５のシェーディング補正と、などが挙げられる。
【００７９】
図３及び図４に示すように、複写機１００において、主電源スイッチ１２がオンされたことをトリガとして、第１の画像形成起動処理が実行される。先ず、ＡＣ電源１１から出力されるＡＣ電源電力がＤＣ電源部１３により変換され、第１の電源制御部１７１及び第２の電源制御部１６Ａに第１のＤＣ電源出力として出力される（ステップＳ１１）。そして、第１のＤＣ電源出力により、第１の電源制御部１７１を含む全体制御部１７Ａの一部と、第２の電源制御部１６Ａとが起動される（ステップＳ１２）。そして、操作者により副電源スイッチ１５がオンされているか否かが判別される（ステップＳ１３）。
【００８０】
副電源スイッチ１５がオンされていない場合（ステップＳ１３；ＮＯ）、ステップＳ１３に移行される。副電源スイッチ１５がオンされている場合（ステップＳ１３；ＹＥＳ）、副電源スイッチ１５から起動信号が出力されて第１の電源制御部１７１及び第２の電源制御部１６Ａに入力される。起動信号の入力により第２の電源制御部１６Ａから予め設定された所定の設定条件に基づく電源制御信号が生成及び出力されてＤＣ電源部１３に入力される。電源制御信号の入力により、ＤＣ電源部１３からＤＣの第２のＤＣ電源出力が生成及び出力されて全体制御部１７Ａ及びエンジン制御部１８に入力される（ステップＳ１４）。ステップＳ１４においては、全体制御部１７Ａ及びエンジン制御部１８の間の通信が確立しておらず、全体制御部１７Ａ側でエンジン制御部１８の状態情報を取得できないので、第１の電源制御部１７１では、ＤＣ電源部１３の電源制御を行わない。
【００８１】
そして、第２のＤＣ電源出力の入力により、第１の電源制御部１７１を含む全体制御部１７Ａの一部以外の全体制御部１７Ａの残りが起動実行され（ステップＳ１５Ａ）、ステップＳ１５Ａと並行して、第２のＤＣ電源出力の入力によりエンジン制御部１８が起動実行される（ステップＳ１５Ｂ）。ステップＳ１５Ａ及びＳ１５Ｂのうちの少なくとも一方が実行完了されると、全体制御部１７Ａとエンジン制御部１８との間で初期通信が試行される（ステップＳ１６）。通常は、図４に示すように、ステップＳ１５Ａの全体制御部１７Ａの残りの起動完了に要する時間よりも、ステップＳ１５Ｂのエンジン制御部１８の起動完了に要する時間のほうが短い。
【００８２】
そして、全体制御部１７Ａとエンジン制御部１８との間で初期通信が確立したか否かが判別される（ステップＳ１７）。全体制御部１７Ａとエンジン制御部１８との間の初期通信が確立するには、全体制御部１７Ａとエンジン制御部１８との両方の起動が実行完了されていることが必要である。初期通信が確立していない場合（ステップＳ１７；ＮＯ）、ステップＳ１６に移行される。
【００８３】
一方、ステップＳ１５Ｂにおけるエンジン制御部１８の起動完了とともに、エンジン制御部１８により、異常検知部２４において、複写機１００のカバーなどがインターロック状態であり、且つ紙詰まりなどのその他の異常がないことが検知されるか否かか判別される（ステップＳ１８）。全て異常がないと検知されない場合（ステップＳ１８；ＮＯ）、いずれかの異常が検知されており、操作者によりカバーなどが閉じられるインターロック状態までの待機又は異常回復の待機が行われ（ステップＳ１９）、ステップＳ１８に移行される。ステップＳ１８，Ｓ１９において、異常検知部２４により、異常無し又は異常有りの検知信号が生成され出力されてエンジン制御部１８及び第２の電源制御部１６Ａに入力される。
【００８４】
全て異常がないと検知された場合（ステップＳ１８；ＹＥＳ）、異常検知部２４から入力された異常無しの旨の検知信号に基づいて、第２の電源制御部１６Ａにより、電源制御信号が生成及び出力されてＤＣ電源部１３に入力される。そして、第２の電源制御部１６Ａから入力された電源制御信号に基づいて、ＤＣ電源部１３により、第３のＤＣ電源出力が生成されてモータ２２等に入力される（ステップＳ２０）。また、エンジン制御部１８によりメインリレー１９がオンされて、ＡＣ電源１１から出力されるＡＣ電源電力がＡＣ駆動部１４に入力されるとともに、エンジン制御部１８から制御信号が出力されてＡＣ駆動部１４及びモータ２２等に入力される。ＡＣ電源電力及び制御信号の入力により、ＡＣ駆動部１４からＡＣの加熱電力が生成及び出力されて定着加熱部（誘導コイル）２１に入力され、定着加熱部２１により定着ローラ２０（の加熱ローラ２０Ａ）が加熱されてウォーミングアップされる（ステップＳ２１）。
【００８５】
そして、エンジン制御部１８により、第３のＤＣ電源出力及び制御信号が入力されたモータ２２の予備回転補正等の、全体制御部１７Ａの起動完了を要しない各種予備動作が実行される（ステップＳ２２）。また、初期通信が確立した場合（ステップＳ１７；ＹＥＳ）、全体制御部１７Ａにより、全体制御部１７Ａの起動完了を要する各種予備動作が実行され（ステップＳ２３）、第１の画像形成起動処理が終了される。
【００８６】
また、初期通信が確立した後は、第１の電源制御部１７１が電源制御指令を生成及び出力して電源制御部１６Ａに入力する。当該電源制御指令に基づいて第２の電源制御部１６Ａが電源制御信号を生成及び出力してＤＣ電源部１３に入力する。例えば、副電源スイッチ１５がオフされた場合、第１の電源制御部１７１がシャットダウン指令を生成して第２の電源制御部１６Ａに入力し、第２の電源制御部１６Ａがシャットダウン制御信号を生成してＤＣ電源部１３に入力する。
【００８７】
また、主電源スイッチ１２がオンされた状態で、副電源スイッチ１５がオフされる場合、画像形成の待機モードとなり、例えば、第１の電源制御部１７１を含む全体制御部１７Ａの一部のみが起動され、外部機器との通信管理など待機状態に関する制御のみを行う構成とする。この待機モード時には、全体制御部１７Ａ全体を起動しなく、定着器６０の通電（加熱）などを行わないので、省電力が実現される。
【００８８】
また、ステップＳ２１の実行以後、温度センサ２３により定期的に定着ローラ２０の温度が検知されて温度検知信号がエンジン制御部１８に入力される。エンジン制御部１８により、温度検知信号に基づいてＡＣ駆動部１４へ入力する制御信号が調整され、ＡＣ駆動部１４から出力されて定着加熱部２１に入力される加熱電力が調整されて、定着ローラ２０の表面温度が適温に保たれる。
【００８９】
本実施の形態によれば、主電源スイッチ１２がオンされた場合に、第２の電源制御部１６Ａを起動し、起動した第２の電源制御部１６Ａが全体制御部１７Ａ及びエンジン制御部１８を起動開始し、起動完了したエンジン制御部１８が、ＡＣ駆動部１４を介して定着加熱部２１への通電を制御し、ＤＣ電源部１３の第３のＤＣ電源出力を用いて、全体制御部１７Ａの起動完了を要しない予備動作の実行を制御するので、全体制御部１７Ａの起動完了よりも早く定着器６０の通電（加熱）と、全体制御部１７Ａの起動完了を要しない予備動作とが実行でき、全体制御部１７Ａの起動時間の影響を軽減して、電源投入から画像形成可能状態にするまでの時間を短縮することができる。
【００９０】
また、全体制御部１７Ａ及びエンジン制御部１８を並行して起動を開始するので、エンジン制御部１８をより早く起動完了でき、全体制御部１７Ａの起動時間の影響を軽減して、電源投入から画像形成可能状態にするまでの時間をより短縮することができる。
【００９１】
見方を変えると、エンジン制御部１８による定着器６０の加熱時間、及び全体制御部１７Ａの起動完了を要しない予備動作の実行時間の少なくとも１つと、全体制御部１７Ａの起動時間とが、少なくとも一部で重なるので、全体制御部１７Ａの起動完了前に、定着器６０の加熱と、全体制御部１７Ａの起動完了を要しない予備動作との少なくとも１つが実行開始され、全体制御部１７Ａの起動時間の影響を軽減して、電源投入から画像形成可能状態にするまでの時間を短縮することができる。
【００９２】
また、副電源スイッチ１５がオンされた場合に、第２の電源制御部１６Ａが、ＤＣ電源部１３から出力される第２のＤＣ電源出力を生成制御するので、副電源スイッチ１５のオフ時の消費電力を低減することができる。
【００９３】
また、異常検知部２４が異常を検知しない場合に、エンジン制御部１８による、定着ローラ２０の加熱と、全体制御部１７Ａの起動完了を要しない予備動作の実行とが制御されるので、安全に画像形成可能状態にすることができる。
【００９４】
また、定着ローラ２０（の加熱ローラ２０Ａ）が、定着加熱部（誘導加熱コイル）２１により電磁誘導方式で加熱されるので、定着器の加熱時間が短く、電源投入から画像形成可能状態にするまでの時間の短縮の割合を大きくすることができる。
【００９５】
また、日本国内の法律により、省エネモードから画像形成可能状態となるまでの復帰時間は、省エネルギー対策のために３０秒以下に規定されており、この条件を満たす画像形成装置の実施が好ましい。本実施の形態の構成では、全体制御部１７Ａの起動時間の影響を軽減したことから、主電源スイッチ１２又は副電源スイッチ１５のオン投入から画像形成可能状態となるまでの時間を容易に３０秒以下にすることができる。
【００９６】
（第２の実施の形態）
図５及び図６を参照して、本発明に係る第２の実施の形態を説明する。図６に、第２の画像形成起動処理を示す。図７に、第２の画像形成起動処理におけるタイミングチャートを示す。また、図７のタイミングチャートに、対応するステップの符号を付した。
【００９７】
本実施の形態は、第１の実施の形態と共通する部分が多いので、第１の実施の形態と異なる部分を主として、本実施の形態を説明する。本実施の形態では、第１の実施の形態の複写機１００を用いるものとする。
【００９８】
次に、複写機１００の動作としての第２の画像形成起動処理を説明する。第２の画像形成起動処理は、第１の画像形成起動処理と同様であるが、第１の電源制御部１７１を含む全体制御部１７Ａの一部の起動と、第２の電源制御部１６Ａの起動とを並行して開始する部分を異にする処理である。図５及び図６に示すように、複写機１００において、主電源スイッチ１２がオンされたことをトリガとして、第２の画像形成起動処理が実行される。
【００９９】
先ず、ステップＳ３１が実行される。ステップＳ３１は、図３の第１の画像形成起動処理のステップＳ１１と同様である。そして、第１のＤＣ電源出力により、第１の電源制御部１７１を含む全体制御部１７Ａの一部が起動実行され（ステップＳ３２Ａ）、ステップＳ３２Ａと並行して、第１のＤＣ電源出力により、第２の電源制御部１６Ａが起動実行される（ステップＳ３２Ｂ）。
【０１００】
そして、第２の電源制御部１６Ａの起動完了後に、ステップＳ３３，Ｓ３４が順に実行される。ステップＳ３３、Ｓ３４は、第１の画像形成起動処理のステップＳ１３，Ｓ１４と同様である。そして、ステップＳ３４の実行後、第２のＤＣ電源出力の入力によりエンジン制御部１８が起動実行される（ステップＳ３５Ｂ）。また、ステップＳ３４の実行後で、且つ第１の電源制御部１７１を含む全体制御部１７Ａの一部が起動完了された場合に、第２のＤＣ電源出力の入力により、第１の電源制御部１７１を含む一部以外の全体制御部１７Ａの残りが起動実行される（ステップＳ３５Ａ）。通常は、副電源スイッチ１５が速やかにオンされるならば、図６に示すように、ステップＳ３２Ａの第１の電源制御部１７１を含む全体制御部１７Ａの一部の起動完了に要する時間よりも、ステップＳ３２Ｂの第２の電源制御部１６Ａの起動完了に要する時間のほうが短いため、ステップＳ３５ＢがステップＳ３５Ａよりも早く実行される。また、第２の電源制御部１６Ａの起動完了に要する時間が１秒以下として、ステップＳ３５ＢがステップＳ３５Ａよりもさらに早く実行されることが好ましい。
【０１０１】
そして、ステップＳ３６〜Ｓ４３が実行されて、第２の画像形成起動処理が終了される。ステップＳ３６〜Ｓ４３は、それぞれ、第１の画像形成起動処理のステップＳ１６〜Ｓ２３と同様である。
【０１０２】
以上、本実施の形態によれば、主電源スイッチ１２がオンされた場合に、第１の電源制御部１７１（を含む全体制御部１７Ａの一部）及び第２の電源制御部１６Ａを起動開始し、起動完了した第２の電源制御部１６ＡがＤＣ電源部１３を介して第２のＤＣ電源出力によりエンジン制御部１８を起動開始し、第１の電源制御部１７１の起動完了後に第２のＤＣ電源出力により全体制御部１７Ａの残りを起動開始するので、第１の電源制御部１７１が起動完了していなく且つ第２の電源制御部１６Ａが起動完了している場合に、エンジン制御部１８を全体制御部１７Ａよりも早く起動開始して、全体制御部１７Ａの起動時間の影響を軽減して、電源投入から画像形成可能状態にするまでの時間を短縮することができる。
【０１０３】
また、主電源スイッチ１２がオンされた場合に、第１の電源制御部１７１及び第２の電源制御部１６Ａの起動を並行して開始するので、第２の電源制御部１６Ａをより早く起動完了し、エンジン制御部１８を全体制御部１７Ａよりもさらに早く起動開始でき、全体制御部１７Ａの起動時間の影響を軽減して、電源投入から画像形成可能状態にするまでの時間をより短縮することができる。
【０１０４】
また、第２の電源制御部１６Ａの起動時間を１秒以下とすると、電源投入から画像形成可能状態にするまでの時間をさらに短縮することができる。
【０１０５】
（第３の実施の形態）
図７〜図９を参照して、本発明に係る第３の実施の形態を説明する。図７に、本実施の形態の複写機２００の制御構成を示す。図８に、第３の画像形成起動処理を示す。図９に、第３の画像形成起動処理におけるタイミングチャートを示す。また、図９のタイミングチャートに、対応するステップの符号を付した。
【０１０６】
本実施の形態は、第２の実施の形態と共通する部分が多いので、第２の実施の形態と異なる部分を主として、本実施の形態を説明する。本実施の形態では、第２の実施の形態の複写機１００に代えて、図７に示す複写機２００を用いる。複写機２００は、複写機１００のＤＣ電源部１３、全体制御部１７Ａ、エンジン制御部１８、メインリレー１９及び温度センサ２３に代えて、ＤＣ電源部１３Ａ、全体制御部１７Ｂ、エンジン制御部１８Ａ、メインリレー１９Ａ及び温度センサ２３Ａを備え、さらに、定着加熱副制御部２５を備える。
【０１０７】
ＤＣ電源部１３Ａは、ＡＣ電源１１から入力されたＡＣの電源電力を変換してそのＤＣの電源出力を第１のＤＣ電源出力として第１の電源制御部１７１、第２の電源制御部１６Ａ及び定着許可信号生成部１７２に出力する。また、ＤＣ電源部１３Ａは、第２の電源制御部１６Ａから入力される電源制御信号により、適切なＤＣ電源出力を第２のＤＣ電源出力として生成し全体制御部１７Ｂ、エンジン制御部１８Ａ及び定着加熱副制御部２５に出力する。
【０１０８】
全体制御部１７Ｂは、第１の電源制御部１７１に加えて、定着許可信号を生成する定着許可信号生成部１７２を備える点が全体制御部１７Ａと異なる。定着許可信号とは、定着加熱部２１により定着ローラ２０を（予備）加熱許可する旨を示す信号である。定着許可信号生成部１７２は、起動後に、図示しないメモリを参照し、前回の複写機２００の起動終了時に、次の起動で定着予備加熱を行わない方がよい状態（異常）が発生した旨の履歴情報が記憶されているか否かを判別して、その異常の情報が記憶されていない場合に、定着許可信号を生成して定着加熱副制御部２５に出力する。
【０１０９】
エンジン制御部１８Ａは、メインリレー１９Ａに接続されず、メインリレー１９Ａを直接制御しない点がエンジン制御部１８と異なる。メインリレー１９Ａは、定着加熱副制御部２５に接続される。
【０１１０】
定着加熱副制御部２５は、メインリレー１９Ａのオン／オフを直接制御するとともに、複写機２００が画像形成可能状態になる前に、全体制御部１７Ｂから出力される定着許可信号と、温度センサ２３Ａから入力される温度検知信号とに基づいて、ＡＣ駆動部１４を制御して、定着加熱部２１を加熱制御する。定着加熱副制御部２５は、起動完了に要する時間が数ｍ秒等の極めて短いものとする。また、定着加熱副制御部２５は、専用に設けられるものとするが、これに限定されない。例えば、画像読み取り部３０の制御部等の既存の制御部と兼用されるものとしてもよい。温度センサ２３Ａは、定着ローラ２０の温度を検知して温度検知信号をエンジン制御部１８及び定着加熱副制御部２５に出力する。
【０１１１】
次に、複写機２００の動作としての第３の画像形成起動処理を説明する。第３の画像形成起動処理は、第２の実施の形態の第２の画像形成起動処理と同様であるが、エンジン制御部１８の起動と並行して、定着加熱副制御部２５を起動し、定着ローラ２０の定着予備加熱を実行する部分を異にする処理である。図８及び図９に示すように、複写機２００において、主電源スイッチ１２がオンされたことをトリガとして、第３の画像形成起動処理が実行される。
【０１１２】
先ず、ステップＳ５１が実行される。ステップＳ５１は、図５の第２の画像形成起動処理のステップＳ３１と同様である。そして、第１のＤＣ電源出力により、全体制御部１７Ｂの定着許可信号生成部１７２が起動される（ステップＳ５２Ａ）。そして、定着許可信号生成部１７２の起動完了後に、定着許可信号生成部１７２以外の第１の電源制御部１７１を含む全体制御部１７Ｂの一部が起動実行される（ステップＳ５３）。なお、ステップＳ５２Ａ及びＳ５３は、図９に示すように、並行して起動開始してもよい。
【０１１３】
また、ステップＳ５２Ａと並行して、ステップＳ５２Ｂが実行され、ステップＳ５４，Ｓ５５，Ｓ５６Ｂ，Ｓ５６Ａが実行される。ステップＳ５２Ｂ，Ｓ５４，Ｓ５５，Ｓ５６Ｂ，Ｓ５６Ａは、それぞれ、第２の画像形成起動処理のステップＳ３２Ｂ，Ｓ３３，Ｓ３４，Ｓ３５Ｂ，Ｓ３５Ａと同様である。そして、ステップＳ５６Ｂの実行と並行して、第２のＤＣ電源出力により、定着加熱副制御部２５が起動実行される（ステップＳ５６Ｃ）。そして、定着加熱副制御部２５の起動完了後、定着加熱副制御部２５により、ステップＳ５２Ａにおいて起動完了された全体制御部１７Ｂの定着許可信号生成部１７２から定着許可信号が出力されて定着加熱副制御部２５に入力されたか否かが判別される（ステップＳ６２）。
【０１１４】
定着許可信号が入力されていない場合（ステップＳ６２；ＮＯ）、ステップＳ６２に移行される。定着許可信号が入力された場合（ステップＳ６２；ＹＥＳ）、定着加熱副制御部２５によりメインリレー１９Ａがオンされ、定着制御信号が生成及び出力されてＡＣ駆動部１４に入力され、ＡＣ駆動部１４を介するＡＣ電源１１から定着加熱部２１への電力供給により、定着ローラ２０が予備加熱される（ステップＳ６３）。予備加熱においては、定着加熱副制御部２５により、温度センサ２３Ａを介して定着ローラ２０の温度が検知され、エンジン制御部１８の起動完了前に、定着ローラ２０の検知温度が予め設定された所定温度に達した場合には、検知温度がその所定温度を維持するようにエンジン制御部１８の起動完了まで定着加熱部２１を介して定着ローラ２０の温度制御が行われる。そして、ステップＳ５７〜Ｓ６１，Ｓ６４〜Ｓ６６が実行される。ステップＳ５７〜Ｓ６１，Ｓ６４〜Ｓ６６は、それぞれ、第２の実施の形態のステップＳ３６〜Ｓ４３と同様である。
【０１１５】
但し、ステップＳ６４は、ステップＳ６１の実行完了までに、ステップＳ６３の定着予備加熱が停止され、定着加熱副制御部２５とエンジン制御部１８Ａとの間に通信の試行及び確立がなされ、その通信確立後に、定着ローラ２０の検知温度が所定温度に達していない場合は、定着制御の主体が定着加熱副制御部２５からエンジン制御部１８Ａに切り替えられ、エンジン制御部１８Ａの制御により、定着加熱部２１を介して定着ローラ２０が加熱されて定着器６０がウォーミングアップされる。
【０１１６】
以上、本実施の形態によれば、主電源スイッチ１２がオンされた場合に、全体制御部１７Ｂの定着許可信号生成部１７２及び第２の電源制御部１６Ａを並行して起動開始し、起動完了した第２の電源制御部１６ＡがＤＣ電源部１３を介して第２のＤＣ電源出力によりエンジン制御部１８Ａ及び定着加熱副制御部２５を起動し、第１の電源制御部１７１の起動完了後に第２のＤＣ電源出力により全体制御部１７Ｂの残りが起動開始し、エンジン制御部１８Ａが起動完了していなく且つ定着加熱副制御部２５が起動完了している場合に、定着加熱副制御部２５により定着加熱部２１を介して定着ローラ２０を予備加熱させるので、定着ローラ２０の加熱開始を早めることができ、全体制御部１７Ｂ及びエンジン制御部１８Ａの起動時間の影響を軽減して、電源投入から画像形成可能状態にするまでの時間を短縮することができる。
【０１１７】
また、定着加熱副制御部２５が、エンジン制御部１８の起動完了前に定着ローラ２０が所定温度に達した場合には、その所定温度を維持するようにエンジン制御部１８の起動完了まで定着加熱部２１を介して定着ローラ２０の温度制御を行い、エンジン制御部１８の起動完了時に定着ローラ２０が所定温度に達していない場合は、エンジン制御部１８が、その起動完了後に、定着加熱部２１を介して定着ローラ２０を加熱させるので、より安全に定着ローラ２０を加熱できる。
【０１１８】
また、定着加熱副制御部２５により、定着許可信号生成部１７２からの定着許可信号に基づいて定着加熱部２１を介して定着ローラ２０を予備加熱させるので、安全に予備加熱を行うことができる。
【０１１９】
なお、以上の実施の形態における記述は、本発明に係る好適な画像形成装置の一例であり、これに限定されるものではない。
また、以上の実施の形態における画像形成装置を構成する各部の細部構成及び細部動作に関して本発明の趣旨を逸脱することのない範囲で適宜変更可能である。
【０１２０】
例えば、上記各実施の形態においては、画像形成装置として、複写機１００，２００を説明したが、これに限定されるものではなく、プリンタなどの画像形成装置に代えてもよい。また、上記各実施の形態においては、操作者の操作により起動のオン／オフを切り替える副電源スイッチ１５を起動手段として説明したが、これに限定されるものではなく、図示しない通信ネットワーク経由で、当該ネットワーク上の外部機器からの遠隔操作による電源スイッチなどを起動手段としてもよい。
【０１２１】
また、上記各実施の形態においては、第２の電源制御部１６Ａがエンジン制御部１８，１８Ａと別体である構成を説明したが、これに限定されるものではなく、第２の電源制御部１６Ａをエンジン制御部１８，１８Ａに一体的に含める構成としてもよい。また、上記各実施の形態においては、第１の電源制御部１７１が全体制御部１７Ａに含まれる構成を説明したが、これに限定されるものではなく、全体制御部１７Ａと別体の第１の電源制御部１７１が全体制御部１７Ａに管理される構成としてもよい。また、上記第３の実施の形態において、定着許可信号生成部１７２が全体制御部１７Ｂに含まれる構成を説明したが、これに限定されるものではなく、全体制御部１７Ｂと別体の定着許可信号生成部１７２が全体制御部１７Ｂに管理される構成としてもよい。
【０１２２】
また、上記各実施の形態においては、全体制御部１７Ａの起動完了後に、第１の電源制御部１７１が電源制御指令を生成して第２の電源制御部１６Ａに入力する構成としたが、これに限定されるものではなく、全体制御部１７Ａ，１７Ｂの起動完了後に、第１の電源制御部１７１が直接電源制御信号を生成して、第２の電源制御部１６Ａを介してＤＣ電源部１３に入力する構成としてもよい。
【０１２３】
また、第３の実施の形態における、エンジン制御部起動完了前に定着ローラ２０を予備加熱する構成は、第１の実施の形態の構成と組み合わせることとしてもよい。
【図面の簡単な説明】
【０１２４】
【図１】本発明に係る第１の実施の形態の複写機１００の制御構成を示すブロック図である。
【図２】複写機１００の全体構成を示す図である。
【図３】第１の画像形成起動処理を示すフローチャートである。
【図４】第１の画像形成起動処理におけるタイミングチャートである。
【図５】第２の画像形成起動処理を示すフローチャートである。
【図６】第２の画像形成起動処理におけるタイミングチャートである。
【図７】本発明に係る第３の実施の形態の複写機２００の制御構成を示すブロック図である。
【図８】第３の画像形成起動処理を示すフローチャートである。
【図９】第３の画像形成起動処理におけるタイミングチャートである。
【図１０】従来の複写機３００の制御構成を示すブロック図である。
【図１１】従来の画像形成起動処理を示すフローチャートである。
【符号の説明】
【０１２５】
１００，２００，３００  複写機
１１  ＡＣ電源
１２  主電源スイッチ
１３，１３Ａ  ＤＣ電源部
１４  ＡＣ駆動部
１５  副電源スイッチ
１６Ａ  第２の電源制御部
１６Ｂ  電源制御部
１７Ａ，１７Ｂ，１７Ｃ  全体制御部
１７１  第１の電源制御部
１７２  定着許可信号生成部
１８，１８Ａ  エンジン制御部
１９，１９Ａ  メインリレー
２０  定着ローラ
２１  定着加熱部
２２  モータ
２３，２３Ａ  温度センサ
２４  異常検知部
２５  定着加熱副制御部
３０  画像読み取り部
３１  ＡＤＦ
３２  スキャナ
３３  プラテンガラス
３４  走査部
３４Ａ  光源
３５  ＣＣＤイメージセンサ
４０  給紙部
４１，４２  給紙トレイ
５０  画像形成部
５１  感光体ドラム
５２  クリーナ
５３  帯電部
５４  露光部
５５  現像器
５６  転写部
６０  定着器
７１  分離器
７２  反転部
Ｔ１  原稿トレイ
Ｔ２  手差しトレイ
Ｔ３  排紙トレイ
【図１】
2005202355.tif 000003
【図２】
2005202355.tif 000004
【図３】
2005202355.tif 000005
【図４】
2005202355.tif 000006
【図５】
2005202355.tif 000007
【図６】
2005202355.tif 000008
【図７】
2005202355.tif 000009
【図８】
2005202355.tif 000010
【図９】
2005202355.tif 000011
【図１０】
2005202355.tif 000012
【図１１】
2005202355.tif 000013